(57)【要約】【課題】携帯通信機器で両手での操作入力を可能とし、携帯電話機サイズでありながら、小型のパソコンの様な操作スタイルを実現する。【解決手段】第一の装置部１０は様々な情報を表示する表示部２を搭載した本体部１を有する。第二の装置部９及び第三の装置部８は、それぞれ各種の操作のための入力ボタン５を有する。第一の装置部１０は、第二の装置部９及び第三の装置部８を回動展開可能に連結した連結部１０−２を有する。第二の装置部９及び第三の装置部８は、第一の装置部１０と１点で連結され連結部１０−２の操作部３のボタン操作により、第一の装置部１０を中央にして両側に回動展開する。【選択図】　　　図１
2004104233.tif 000002
【特許請求の範囲】
【請求項１】
情報を表示する表示デバイスを搭載した本体部を有する第一の装置部と、それぞれ各種の操作ボタンを有する第二の装置部及び第三の装置部とを備え、前記第一の装置部は、前記第二の装置部及び第三の装置部を回動展開可能に連結した連結部を有することを特徴とする携帯通信機器。
【請求項２】
前記第二の装置部及び第三の装置部は、前記第一の装置部と１点で連結されることを特徴とする請求項１記載の携帯通信機器。
【請求項３】
前記第二の装置部及び第三の装置部は、前記第一の装置部を中央にして両側に回動展開することを特徴とする請求項１又は２記載の携帯通信機器。
【請求項４】
前記第二の装置部及び第三の装置部は、前記連結部において機構的手段により付勢されており、前記連結部に設けた操作ボタンの押下により自動的に回動展開又は展開収納することを特徴とする請求項１〜３のいずれか１項に記載の携帯通信機器。
【請求項５】
前記連結部は、前記本体部に対し一定の角度を持つことを特徴とする請求項１記載の携帯通信機器。
【請求項６】
前記第一の装置部は、前記第二の装置部及び第三の装置部の回動展開により、水平面に対し一定の角度を持って支持されることを特徴とする請求項１〜４のいずれか１項に記載の携帯通信機器。
【請求項７】
前記本体部は背面にカメラ部を備え、前記第二の装置部又は第三の装置部の展開収納により前記カメラ部を隠蔽することを特徴とする請求項１〜４のいずれか１項に記載の携帯通信機器。
【請求項８】
前記第二の装置部及び第三の装置部は、使用者の選択により収納・展開をそれぞれ独立して駆動操作されることを特徴とする請求項１〜３のいずれか１項に記載の携帯通信機器。
【請求項９】
前記第二の装置部及び第三の装置部は、断面形状を装置中央から傾斜させて装置端付近程薄くなる構造を有し、前記第一の装置部は、前記第二の装置部及び第三の装置部の回動展開により、水平面に対し一定の角度を持って支持される構造を有することを特徴とする請求項１〜４のいずれか１項に記載の携帯通信機器。
【発明の詳細な説明】
【０００１】
【発明の属する技術分野】
本発明は携帯電話機などの携帯通信機器に関し、特に表示部を有する上部筐体と操作部を有する下部筐体とを結合した携帯通信機器に関する。
【０００２】
【従来の技術】
昨今、急速に利用者の拡大化が進む携帯電話機に代表される携帯通信機器であるが、その小型化及び操作性の向上については様々な工夫がなされている。携帯電話機の第一の従来例として図９を用いて説明する。図９において、携帯電話機は上部筐体１８と下部筐体１９とを有し、表示部８とレシ−バ音孔２３及びカメラ２８を上部筐体１８に内包している。一方、各種の操作を行う操作ボタン２１と使用者の音声を入力するためのマイク音孔２２を下部筐体１９に内包している。この二つの筐体はヒンジ部２０によって回動できるように連結されている。この携帯電話機において文書メ−ルを作成する場合、必然的に下部筐体を片手で保持しながら、片手親指だけでの操作をすることになる。
【０００３】
次に、第二の従来例として、図１０に示すように携帯型情報端末では、一つの面部３１に操作キー３２が配置された本体３３と、情報表示を行うディスプレイ３４を有する表示部３５とを回転可能に連結部３６が、本体３３に対する表示部３５の回転軸線を、面部３１に直交する方向に沿わせた状態で二つの分離された操作キー領域３７，３８の間の位置に配置している。これにより、携帯性を保ち必要に応じ操作キー数を増加させ、操作性を向上させている（例えば、特許文献１参照。）。
【０００４】
さらに、第三の従来例として開閉型携帯情報端末の例を図１１を用いて説明する。図１１を参照すると、表示部４１を有する表示部筐体４２と、操作部４３を有する操作部筐体４４とを備えた開閉型携帯情報端末において、操作部筐体４４の操作部面に対し表示部筐体４２の表示部面が同方向を向いた状態で、表示部筐体４２の端部と操作部筐体４４との端部を連結部材４５によって連結し、表示部筐体４２と操作部筐体４４を連結部材４５の回転軸を中心に、回転自在に構成している（例えば、特許文献２参照。）。
【０００５】
【特許文献１】
特開２００２−５７７７１号公報（図１）
【特許文献２】
特開２００２−１５８７５８号公報（図４）
【０００６】
【発明が解決しようとする課題】
しかしながら、上述した第一の従来例では、長文を作成することは親指一本ではかなりの時間を要してしまい、迅速な対応ができないのが実情である。特により複雑で、緊急性を要するビジネスユ−スにおいては、尚更不便と言わざるを得ない。また、第二の従来例では、操作キー数を増やすことは可能になるものの、端末非使用時に操作面を折畳むことができず、小型化の面で問題がある。さらに、第三の従来例では、連結部材により表示部と操作部とを回転自在に構成してはいるものの、両手での操作入力には適さないという問題がある。
【０００７】
本発明の目的は、表示部を有する第一の装置部を中央に位置させ両側に入力手段を有する第二の装置部と第三の装置部を展開させることにより、両手での操作入力を可能とし、携帯電話機サイズでありながら、小型のパソコンの様な操作スタイルを実現できる携帯通信機器を提供することにある。
【０００８】
【課題を解決するための手段】
上述の課題を解決するため請求項１に記載の本発明では、携帯通信機器を、情報を表示する表示デバイスを搭載した本体部を有する第一の装置部と、それぞれ各種の操作ボタンを有する第二の装置部及び第三の装置部とを備え、前記第一の装置部に、この第一の装置部と前記第二の装置部及び第三の装置部とを回動展開可能に連結する連結部を備えるようにする。
【０００９】
請求項２に記載の本発明では、前記第二の装置部及び第三の装置部を、前記第一の装置部と１点で連結する。
【００１０】
請求項３に記載の本発明では、請求項１又は２に記載の携帯通信機器において、前記第二の装置部及び第三の装置部を、前記第一の装置部を中央にして両側に回動展開する。
【００１１】
請求項４に記載の本発明では、請求項１〜３に記載の携帯通信機器において、前記第二の装置部及び第三の装置部を、前記連結部で機構的手段により付勢し、前記連結部に設けた操作ボタンの押下によって自動的に回動展開又は展開収納する。
【００１２】
請求項５に記載の本発明では、請求項１に記載の携帯通信機器において、前記連結部を、前記本体部に対し一定の角度を持つように構成する。
【００１３】
請求項６に記載の本発明では、請求項１〜４に記載の携帯通信機器において、前記第一の装置部を、前記第二の装置部及び第三の装置部の回動展開により、水平面に対し一定の角度を持って支持させるように構成する。
【００１４】
請求項７に記載の本発明では、請求項１〜４に記載の携帯通信機器において、前記本体部は背面にカメラ部を備え、前記第二の装置部又は第三の装置部の展開収納により前記カメラ部を隠蔽する。
【００１５】
請求項８に記載の本発明では、請求項１〜３に記載の携帯通信機器において、前記第二の装置部及び第三の装置部を、使用者の選択により収納・展開をそれぞれ独立して駆動操作するように構成する。
【００１６】
請求項９に記載の本発明では、請求項１〜４に記載の携帯通信機器において、前記第二の装置部及び第三の装置部の断面形状を、装置中央から傾斜させて装置端付近程薄くなる構造とし、前記第一の装置部を、前記第二の装置部及び第三の装置部の回動展開により、水平面に対し一定の角度を持って支持される構造とする。
【００１７】
【発明の実施の形態】
次に、本発明の実施の形態について図面を参照して詳細に説明する。
【００１８】
図１は本発明の第一の実施の形態として開脚状態の携帯電話機の斜視図を示している。まず略矩形である第一の装置部１０の本体部１０−１には、様々な情報を表示するＬＣＤ等の表示デバイス部を外力から保護する透明の樹脂成形板等を貼付した表示部２が設置されている。またその上部には使用者を撮影するカメラ１が設置され、表示部２の下部には通話に関する最低限の機能を操作する操作部４と第二の装置部９及び第三の装置部８を回動可能に連結し、回動展開動作を制御する操作部３を有した略先鋭型の連結部１０−２を設けている。
【００１９】
図２は本発明の第一の実施の形態として閉脚状態の携帯電話機の側面図であるが、操作部３を有する連結部１０−２は、本体部１０−１に対し、図２中の矢印部Ｂから任意の角度を持って構成されている。また、第二の装置部９及び第三の装置部８は本体部１０−１の背面に収納される。
【００２０】
図３は第一の実施の形態として収納状態の携帯電話機の背面図である。表示部２（図示せず）に撮像を映し撮影が可能な背面カメラ１１と、通話相手の音声を発音するレシ−バ音孔１２と、暗所での撮影を可能とするフラッシュ１６とが、回動動作する第二の装置部９と第三の装置部８とに隠蔽されることなく露出して設置されている。また、電話の受信を報知する着信音や様々な音楽を発する音孔１４が第二の装置部９及び第三の装置部８のそれぞれの背面に設けられている。さらに第三の装置部８には、使用者の音声を入力するためのマイク音孔１３が設けられているが、この場合、第二の装置部９に設けても特に問題は無い。
【００２１】
そして回動軸１０−３により、第二の装置部９及び第三の装置部８は連結部１０−２（図示せず）にて第一の装置部１０に回動自在に連結固定されるものである。第二の装置部９及び第三の装置部８を、使用者の選択により収納・展開をそれぞれ独立して駆動操作する。また、この回動軸部１０−３にコイルスプリングや板バネ等を用いて常に回動展開方向に付勢させておき、収納状態においてはロック構造により回動展開を抑え、操作部３を操作することによりロック解除させることも可能である。この構造を用いれば、操作部３を操作することにより第二の装置部９および第三の装置部８を同時に回動展開できる。また、小型のサ−ボモ−タ等の電気駆動を適用すれば、この回動展開及び回動収納の動作を自動で行うことも可能である。これらの回動の展開角度は設計的に自由に設定することができる。
【００２２】
図４は本発明の第一の実施の形態として展開状態の携帯電話機の机上使用での側面図である。図２に示す通り矢印部Ｂで角度を持たせつつ、図１に示すように第二の装置部９及び第三の装置部８が１点で連結されているため、携帯電話機は展開状態において第一の装置部１０の表示面が机上の水平面２４に対し任意の角度Ａ°を持って傾斜して支持させることができる。この構成によって、机上使用時の使用者の表示部視認性が高まる。
【００２３】
次に、図１及び図１中の矢視位置Ａ−Ａでの第三の装置部８の断面図を図５を用いて第二の装置部９及び第三の装置部８の操作面の説明を行う。図１に示す通り、第二の装置部９には多数の入力ボタン５及び指紋を認証するための認証パッド７が設けられている。一方、第三の装置部８にも多数の入力ボタン５と方位自在なポインティングデバイス６が設けられている。
【００２４】
これら操作ボタン類は、図５に示す通り第三の装置部８の外周隆起部８−１より低い高さとなっており、収納状態においても第一の装置部１０の背面と干渉して押下されることは無い。これらの構成により、表示部２を最大限にまで大きくした状態においても、十分な操作ボタン領域を確保することができるばかりでなく、回動展開状態において、表示部２を一定の角度で傾斜させ視認性を高めた状態で支持させつつ両側に回動展開した操作部により、さながら小型のパソコンの様な使い勝手を提供できる。
【００２５】
次に、図６に本発明の第二の実施の形態を示す。本実施の形態では、携帯電話機の背面に配置した背面カメラ１１及びフラッシュ１６を第三の装置部１５が収納状態において隠蔽される本体部背面に位置させている。その他の構成は基本的に第一の実施の形態と同じであるが、カメラ部が使用状態以外には、第三の装置部１５によって隠蔽されているため、外力や携帯時のキズ等から保護される面において有利な構成と言える。また同時に背面カメラ１１は使用時以外には、遮蔽されていることが明らかにわかるため、盗撮されているのではないかという危惧を相手に与えない利点も持つ。なお、背面カメラ１１及びフラッシュ１６を第二の装置部１７が収納状態において隠蔽される本体部背面に位置させる構成としてもよい。
【００２６】
図７は本発明の第三の実施の形態の回動展開状態の携帯電話機を示している。また、図８は装置中央部での横断面図である。図８に示すように第二の装置部２６及び第三の装置部２５を装置中央から傾斜させ、装置端付近程薄くなるように構成しているので、図７のように本体装置部２７の表示面を傾斜して支持することができる。この場合、第一の実施の形態で構成した連結部１０−２のような本体部１０−１と角度を持たせた形状は不要となり、本体部正面の意匠デザイン的な自由度を持たせることが可能となる。
【００２７】
【発明の効果】
以上説明したように本発明によれば、携帯通信機器の非使用時の小型化を実現し、且つ携帯通信機器における両手での操作入力を可能とし、携帯電話機サイズでありながら、小型のパソコンの様な操作スタイルを実現できる。
【図面の簡単な説明】
【図１】本発明の第一の実施の形態における開脚状態の携帯電話機の斜視図である。
【図２】本発明の第一の実施の形態における閉脚状態の携帯電話機の側面図である。
【図３】本発明の第一の実施の形態における収納状態の背面図である。
【図４】本発明の第一の実施の形態における机上使用展開状態の側面図である。
【図５】図１における第三の装置部のＡ−Ａ断面図である。
【図６】本発明の第二の実施の形態における第２の装置部が収納状態の背面図である。
【図７】本発明の第三の実施の形態における回動展開状態を示す側面図である。
【図８】本発明の第三の実施の形態における収納状態を示す図である。
【図９】従来の折畳み携帯電話機の斜視図である。
【図１０】従来の携帯型情報端末の一例を示す図である。
【図１１】従来の携帯型情報端末の他の一例を示す図である。
【符号の説明】
１　　カメラ
２　　表示部
３，４　　操作部
５　　入力ボタン
６　　ポインティングデバイス
７　　認証パッド
８，１５，２５　　第三の装置部
８−１　　外周隆起部
９，１７，２６　　第二の装置部
１０　　第一の装置部
１０−１　　本体部
１０−２　　連結部
１０−３　　回動軸
１１　　背面カメラ
１２　　レシーバ音孔
１３　　マイク音孔
１４　　音孔
１６　　フラッシュ
２４　　水平面
２７　　本体装置部
【図１】
2004104233.tif 000003
【図２】
2004104233.tif 000004
【図３】
2004104233.tif 000005
【図４】
2004104233.tif 000006
【図５】
2004104233.tif 000007
【図６】
2004104233.tif 000008
【図７】
2004104233.tif 000009
【図８】
2004104233.tif 000010
【図９】
2004104233.tif 000011
【図１０】
2004104233.tif 000012
【図１１】
2004104233.tif 000013